(57)【特許請求の範囲】
【請求項１】
少なくとも、
回転軸と、
前記回転軸と結合し、回転可能に構成された回転磁石ホルダと、
磁極が同極対向した状態で、前記回転磁石ホルダに配置された複数の永久磁石と、
前記回転磁石ホルダ及び複数の前記永久磁石の周囲に配置された発電コイルとを備え、
少なくとも前記発電コイルの芯部内に、磁性体からなる芯部材が配置され、
前記発電コイルの巻軸の弧度を持つ軸線方向が、前記回転磁石ホルダ及び複数の前記永久磁石の回転方向に対して平行となるように配置されている
ことを特徴とする回転型電磁発電機。
【請求項２】
請求項１に記載の回転型電磁発電機において、
前記発電コイルが複数個あり、この複数個の発電コイルが全体として円弧形状を有する筒状に形成されている
ことを特徴とする回転型電磁発電機。
【請求項３】
請求項１又は請求項２に記載の回転型電磁発電機において、
前記発電コイルの外側に、突出した凸部が設けられている
ことを特徴とする回転型電磁発電機。
【発明の詳細な説明】
【技術分野】
【０００１】
本発明は、複数個の磁石を同じ磁極が対向するように配置して、その周囲に発電コイルを配置することによって、発電効率を高めた回転型電磁発電機に係わる。
【背景技術】
【０００２】
近年、携帯電話端末やゲーム機等の携帯電子機器の普及が進み、これらに内蔵されている２次電池の量がますます多くなってきている。
【０００３】
一方、地球環境の維持改善のため、できるだけ環境負荷を少なくした電池の研究開発も活発に行われている。
このような状況の下、必要なときに必要な量だけ発電した電気エネルギーを電子機器に供給可能な手動発電機や、通常無意識に消費されているエネルギーを電気エネルギーに変換して、充電する充電器が検討されている。
このような手動発電機や充電器によって得られる電気エネルギーは、携帯電子機器などの電源として利用することが可能となる。
【０００４】
そして、複数の永久磁石と複数のコイルとから構成された電磁発電機が提案されている（例えば、特許文献１参照）。
【０００５】
提案されている電磁発電機の構成では、コア無しコイルと、このコア無しコイルを挟み込むようにＮ極とＳ極とを対向させた、複数の永久磁石とを備えている。
そして、多数のコア無しコイルを、回転軸に固定された円盤状の基盤の外周に沿って配置している。そして、回転軸の回転と共に、コア無しコイルが、上下に対向する永久磁石の間を通過していく。
このように電磁発電機を構成したことにより、図２３に模式的断面図を示すように、一方の永久磁石１０１のＮ極から発生した磁束１０４は、その大部分がコア無しコイル１０３の芯部を貫いて他方の永久磁石１０２のＳ極へ向って流れ込むため、十分な発電能力を発揮することができるというものである。
【０００６】
【特許文献１】特開２００２−３２０３６４号公報（特に、図１、図２等）
【発明の開示】
【発明が解決しようとする課題】
【０００７】
しかしながら、上記特許文献１に記載の永久磁石発電機の構成では、磁束の流れを規制すべく、コア無しコイル１０３を挟み込むように上下にそれぞれ永久磁石１０１，１０２を配置していることから、用いる磁石の数量、及びその重量が増大するという問題を有している。
【０００８】
また、コア無しコイル１０３には、取り出し線を必要とするために、コア無しコイル１０３が不動／固定状態であることが望ましい。
しかしながら、上記特許文献１に記載の永久磁石発電機の構成では、コア無しコイル１０３が回転軸に固定された円盤状の基盤に固定されており、回転軸と連動してコア無しコイル１０３が回転運動する構成となっているため、導電ブラシ等の部材を用いる必要性が生じ、取り出し線等の構成が煩雑になることが予想される。
【０００９】
一方、コア無しコイル１０３を固定して、永久磁石１０１，１０２を回転軸と連動させることも考えられるが、上述したように磁石の重量が増大することによって、回転軸にかかる重量が大きく、発電特性に悪影響を及ぼす、という不具合が生じてしまう。
【００１０】
また、高効率発電を実現するために、永久磁石１０１から発生する磁束が、確実にコア無しコイル１０３の芯部を貫くようにするためには、コア無しコイル１０３を挟み込んだ状態で向かい合う磁石１０１，１０２の間隔を近づける必要がある。
ところが、永久磁石１０１，１０２の配置個数が多いことによって起こり得る高さ寸法のバラつき、回転運動によって生じ得るコア無しコイル１０３の回転ブレ等によっても、永久磁石１０１，１０２とコア無しコイル１０３とが衝突することを回避するためには、永久磁石１０１，１０２とコア無しコイル１０３との間隔について、安全寸法の確保が必須である。そのため、製造工程及び条件管理が煩雑になる。加えて、隣り合う磁石同士が接近することによって、磁束の流れに乱れが生じ、発電効率の劣化に起因する磁気損失の発生もまた問題となる。
【００１１】
本発明は、上述の課題に鑑み成されたものであって、その目的とするところは、永久磁石の使用量を必要最小限に留めて軽量化を図ることが可能であり、コイルと永久磁石との配置を簡素な条件／構造にて達成することができる高効率の回転型電磁発電機を提供することである。
【課題を解決するための手段】
【００１２】
本発明の回転型電磁発電機は、少なくとも、回転軸と、この回転軸と結合し、回転可能に構成された回転磁石ホルダと、磁極が同極対向した状態で、回転磁石ホルダに配置された複数の永久磁石と、回転磁石ホルダ及び複数の永久磁石の周囲に配置された発電コイルとを備え、少なくとも発電コイルの芯部内に、磁性体からなる芯部材が配置され、発電コイルの巻軸の弧度を持つ軸線方向が、回転磁石ホルダ及び複数の永久磁石の回転方向に対して平行となるように配置されているものである。
【発明の効果】
【００１３】
上述の本発明の回転型電磁発電機によれば、複数の永久磁石を磁極が同極対向した状態で、回転磁石ホルダに配置したことにより、磁極が同極対向した隣り合う２個の永久磁石から、永久磁石の長手方向に対して略垂直な方向に、垂直磁束を生じる。
この垂直磁束を回転磁石ホルダ及び複数の永久磁石の周囲に配置された発電コイルに通過させることによって、発電コイルにおいて充分な発電量を得ることが可能になる。
これにより、比較的少ない個数の永久磁石で充分な発電量を得ることが可能になり、永久磁石の個数を少なくして軽量化を図ることができる。また、同じ回転数において効率を向上させることが可能になる。
さらに、磁石相互間の磁束の乱れが発生し難い構造であるため、優れた発電効率を得ることができる。
【００１４】
そして、本発明により、永久磁石の使用量を必要最小限に留め軽量化を図ることが可能であり、複数のコイルと永久磁石との配置を簡素な条件／構造にて達成することができ、高効率の回転型電磁発電機を実現することができる。
【発明を実施するための最良の形態】
【００１５】
本発明の回転型電磁発電機の第１の実施の形態として、回転型電磁発電機の概略構成図（斜視図）を、図１に示す。また、図１の回転型電磁発電機１の分解斜視図を、図２に示す。
【００１６】
この回転型電磁発電機１は、回転軸２と、回転軸２を受ける回転継手３と、回転継手３に接続された回転磁石ホルダ４と、回転磁石ホルダ４に装着された４個の永久磁石１１，１２，１３，１４と、回転磁石ホルダ４の周囲に配置された４個の発電コイル２１，２２，２３，２４とを有して成る。
【００１７】
回転軸２は、図示しない部分で外部から力を受けて、右回り（時計回り）又は左回り（反時計回り）のいずれにも回転可能なように構成されている。実際の使用にあたっては、外部からの力の態様により、右回りのみ或いは左回りのみに回転させる場合と、どちらにも回転させる場合とがある。
回転磁石ホルダ４は、回転継手３を介して、回転軸２に接続されている。
４個の永久磁石１１，１２，１３，１４は、それぞれ円弧形状を有する棒状であり、長手方向に分極（着磁）され、かつ隣り合う２個の永久磁石において、互いに同じ磁極（Ｎ極、Ｓ極）が対向するように配置されている。
４個の発電コイル２１，２２，２３，２４は、コイルの巻軸方向Ｗが、回転軸２に対して垂直であり、かつ隣の発電コイルの巻軸方向Ｗと垂直になるように、配置されている。
【００１８】
回転継手３は、回転軸２を嵌合して、回転軸２と回転磁石ホルダ４とを接続するための部材である。
そして、例えば、回転軸２が金属製であって、回転磁石ホルダ４が樹脂製である等の形態のときには、例えば、回転継手３の内外周部を歯車状に形成し、これに対応して回転軸２及び回転磁石ホルダ４において、回転継手３と結合する部位もまた歯車状にしておくことで、空回りを抑制することが可能となる。
回転継手３の材質は、樹脂や金属材料に限定されない。
なお、回転継手を設けないで、回転軸２と回転磁石ホルダ４とを一体的に形成することも可能である。
【００１９】
４個の永久磁石１１，１２，１３，１４は、発電コイル２１，２２，２３，２４の芯部を通過させる磁束を励起するための部材である。
好適に用いられる磁石としては、例えば、ネオジム、鉄、ホウ素を主成分とする希土類磁石であるネオジム磁石等が挙げられる。
【００２０】
回転磁石ホルダ４は、回転軸２と結合され、かつ永久磁石１１，１２，１３，１４を嵌合／支持固定するための部材である。
なお、前述したように、回転磁石ホルダ４を回転軸２と一体的に形成した構造を採用してもよい。
回転磁石ホルダ４の材質は、非磁性であれば特に限定されないが、成形や加工のしやすさ、重量等を考慮すると、樹脂材料（熱可塑性樹脂又は熱硬化性樹脂）が好適である。そして、金型成形によって所望の形状の回転磁石ホルダ４を製造する。
【００２１】
図１〜図２に示した回転磁石ホルダ４の斜視図を、図３Ａに示す。
回転磁石ホルダ４は、円形状の非磁性部材で構成されており、永久磁石１１，１２，１３，１４を装着するための永久磁石収納部（孔又は凹部）５を有している。
【００２２】
ここで、図３Ａの回転磁石ホルダ４のＸ−Ｘ´における断面図を、図３Ｂ及び図３Ｃにそれぞれ示す。
図３Ｂに示す断面図は、永久磁石収納部５を回転磁石ホルダ４の上下に貫通する孔とした場合を示している。この場合、永久磁石収納部５の孔から磁石が落ちないように、磁石を永久磁石収納部５の壁面に接着する。
図３Ｃに示す断面図は、永久磁石収納部５を有底の凹部とした場合を示している。この場合、回転磁石ホルダ４の厚さが永久磁石の厚さより少し厚くなるが、永久磁石の組み込みの容易性や保持固定に係る信頼性を高くすることができる。
【００２３】
なお、図４に断面図を示すように、永久磁石１１，１３を回転磁石ホルダ４の樹脂で包み込んでも構わない。この場合、永久磁石１１，１３が回転磁石ホルダ４の樹脂で隠れるので、永久磁石が表面に露出している図３Ａに示した回転磁石ホルダ４とは、構成が異なっている。
この図４に示す構成の回転磁石ホルダ４を製造するには、例えば、回転磁石ホルダ４用の金型の内部に、ピン等を用いて永久磁石１１，１３を浮かして配置しておいて、その状態で樹脂を充填すればよい。なお、この製造プロセスを採用する際には、低温／常温硬化型樹脂を用いて、低温／常温環境にて樹脂を充填することが望ましいと言える。これは、高温負荷を永久磁石に加えることによって磁気特性が劣化してしまうことを避けるためである。
【００２４】
また、図示しないが、円板状に形成された回転磁石ホルダの上に、永久磁石を特定の配置条件にて貼りつけて固定しても構わない。
【００２５】
また、本実施の形態の回転型電磁発電機１の平面図を図５Ａに示し、図５ＡのＹ−Ｙ´における断面図を図５Ｂに示す。
【００２６】
図１・図２・図５Ａに示すように、発電コイル２１，２２，２３，２４は、それぞれ、湾曲していない平板状でかつ略正方形状に巻回されている。
この発電コイル２１，２２，２３，２４は、不動状態で設置されている。例えば、一般的なモータの構成部品として用いられているステータ等の構造を応用すれば、容易に設置が可能である。
これら発電コイル２１，２２，２３，２４として、具体的には、Ｃｕ等の導電線の周囲に絶縁性皮膜が形成され、そのさらに外周面に、加熱環境への暴露や有機溶剤の噴霧によって溶融固着する融着層が形成された、自己融着線を、空芯巻回して溶着固化した構成が、好適に用いられる。
また、これら４個の発電コイル２１，２２，２３，２４は、出力電圧の位相に合わせて直列で接続されていても、並列で接続されていても、個々に独立した回路としていてもよい。そして、発電コイルの接続のしかたによって、種々多様の発電用途に対応させることが可能である。
【００２７】
４個の発電コイル２１，２２，２３，２４は、前述したように、コイルの巻軸方向Ｗが、回転軸２に対して垂直であり、かつ隣の発電コイルの巻軸方向Ｗと垂直になっている。そして、これら発電コイル２１，２２，２３，２４の巻軸方向Ｗは、回転磁石ホルダ４及び永久磁石１１，１２，１３，１４の回転方向とも垂直（換言すれば、回転方向Ｒに対し法線方向ともいえる）になっている。
【００２８】
続いて、上述したように、複数の永久磁石１１，１２，１３，１４を同じ磁極同士が対向するように配置したときの作用効果について、図６Ａ及び図６Ｂを参照して説明する。なお、図６Ａ及び図６Ｂにおいては、磁界分布を簡略化して、１本の磁束の線で示している。
【００２９】
まず、比較例として、単体の永久磁石が励起する磁界を、図６Ａに示す。
単体の永久磁石の場合、Ｎ極から発せられＳ極に帰還する磁束は、永久磁石の側方の狭い範囲となっている。
【００３０】
次に、本発明に係る構成として、特定の間隔を有して同じ磁極同士を対向させた複数の永久磁石が励起する磁界を、図６Ｂに示す。
隣り合う永久磁石の同じ磁極同士を対向させることによって、それぞれのＮ極から発生する磁力線が押し合うように作用し、図６Ｂに示すように、垂直磁束が形成される。このとき、垂直磁束には、それぞれの永久磁石のＮ極から発せられる磁束と、Ｓ極に帰還する磁束とが相当すると定義する。
そして、垂直磁束が形成されるため、図６Ａに示した比較例と比べて、磁界伝播領域が広くなり、永久磁石からある程度離れた位置においても、磁束密度を高い状態に保つことができる。
【００３１】
なお、隣り合う永久磁石の間隔が広すぎると、図６Ｂに示した垂直磁束がほとんど生じないので、所望の垂直磁束を生じるように、隣り合う永久磁石の間隔を設定する。
【００３２】
上述のように、複数の永久磁石の間に特定の間隔を設け、かつ同じ磁極同士を対向させるという簡素な構成によって、発電コイルの芯部を通過させるために好適な垂直磁束を得ることができ、かつ永久磁石から遠く離れた位置における磁束密度を高くすることが可能である。
これにより、発電コイルの芯部を通過する磁束が多くなり、発電特性が良好になるという効果を奏する。
従って、垂直磁束の磁束密度をさらに向上させる手段として、互いに同極対向させた永久磁石の間に、ヨーク等に代表される磁性金属部材を配置するようにしてもよい。このように構成することで、発電コイルの芯部を通過する磁束の密度も向上することから、より大きな発電特性を得ることが可能となる。
【００３３】
次に、図６Ｂで説明した磁界を、図１に示した実施の形態の回転型電磁発電機１に適用して、図７の平面図に示す。
そして、この図７を参照して、本発明の回転型電磁発電機の発電原理を説明する。
【００３４】
図７に示すように、各永久磁石１１，１２，１３，１４のＮ極から発生した垂直磁束、及びＳ極へ帰還する垂直磁束の、主として２種の垂直磁束が、それぞれ回転磁石ホルダ４の回転方向Ｒに対して略垂直な方向に生じている。２種の垂直磁束の間は、回転軸２側の内周磁束と発電コイル２１，２２，２３，２４側の外周磁束とに分流されている。
このとき、回転磁石ホルダ４が図示しない駆動源によって回転すると、複数の永久磁石１１，１２，１３，１４のＮ極同士が対向している部位から発せられた第１の垂直磁束が発電コイル、図６に示す状態では左下の発電コイル２１及び右上の発電コイル２３の、芯部を通過する。
その後、さらに回転磁石ホルダ４が回転すると、第１の垂直磁束とは逆向きとなる第２の垂直磁束が、同じ発電コイルの芯部を通過することとなる。
つまり、回転磁石ホルダ４の回転運動が続く限り、異なる方向の磁束が発電コイル２１，２２，２３，２４の芯部を交互に通過することとなる。その結果、発電コイル２１，２２，２３，２４に、誘導電流が生じる。
これが、本発明に係る回転型電磁発電機の基本的な発電原理である。
【００３５】
図７では、平面図で水平方向の磁束を示したが、本実施の形態の回転型電磁発電機１においては、永久磁石１１，１２，１３，１４から、上下方向（回転軸２に平行な方向）にも垂直磁束を生じる。
ここで、この上下方向の垂直磁束を説明するために、円弧状の永久磁石１１，１２，１３，１４の中心軸を通り、回転軸２に平行な、円筒面における断面図を、図８に示す。
図８に示すように、各永久磁石１１，１２，１３，１４のＮ極から発生した垂直磁束、及びＳ極へ帰還する垂直磁束の、主として２種の垂直磁束が、それぞれ回転磁石ホルダ４の回転方向Ｒに対して略垂直であり、かつ上下方向Ｖに生じている。
この図８に示す上下方向においても、垂直磁束を生じるので、図６Ｂで説明したように、永久磁石１１，１２，１３，１４からある程度離れた位置においても、磁束密度を高い状態に保つことができる。
そして、図１に示した回転型電磁発電機１においては、この上下方向の垂直磁束を利用していないが、上下方向の垂直磁束を利用するように、発電コイルの位置や形状を変えることも可能である。
【００３６】
本実施の形態の回転型電磁発電機１において、発電コイル２１，２２，２３，２４を配置する際には、回転磁石ホルダ４の回転ブレ等を考慮し、回転磁石ホルダ４と衝突しないように、安全寸法を確保することが望ましい。
ただし、この安全寸法を過度に取りすぎると、垂直磁束が効率的に発電コイルの芯部を通過しなくなる。
好ましくは、事前に磁場解析シミュレーションを行って、永久磁石１１，１２，１３，１４から発せられる又は帰還する垂直磁束の距離ｄを把握しておいて、この距離ｄ以内に発電コイル２１，２２，２３，２４があるように、回転磁石ホルダ４と発電コイルとの距離Ｄ（図５Ａ参照）を選定して、発電コイル２１，２２，２３，２４を配置すればよい。
これによって、回転型電磁発電機１の設計に係る容易性もまた向上する。
即ち、回転磁石ホルダ４と発電コイル２１，２２，２３，２４との配置寸法条件は、一定の値には限定されず、適宜変更することが可能である。
【００３７】
上述の本実施の形態の回転型電磁発電機１の構成によれば、回転軸２に接続されて回転する回転磁石ホルダ４に、４個の永久磁石１１，１２，１３，１４を装着し、これら４個の永久磁石１１，１２，１３，１４を、同じ磁極同士が対向するように配置している。
そして、回転磁石ホルダ４の周囲に、巻軸方向Ｗが回転磁石ホルダ４の回転方向Ｒに垂直な方向となるように、発電コイル２１，２２，２３，２４を設けている。
これにより、同じ磁極同士が対向した４個の永久磁石１１，１２，１３，１４から垂直磁界を発生させて、発電コイル２１，２２，２３，２４の芯部を通過させることができ、これら発電コイル２１，２２，２３，２４において、充分な発電量が得られる。
従って、前記特許文献１に提案されていた構成と比較して、大幅に少ない個数の永久磁石１１，１２，１３，１４で充分な発電量を得ることが可能になり、永久磁石の個数を少なくして軽量化を図ることができる。また、同じ回転数において効率を向上させることが可能になる。
【００３８】
即ち、本実施の形態の回転型電磁発電機１は、構造が極めて簡略であり、かつ優れた発電効果を得ることができる、という効果を有している。
また、軽量化を図ることが可能になると共に、発電コイルは空芯構造であることから、いわゆるコギングトルクの発生を抑制することができ、その結果、小さな回転トルクで効率良く発電を行うことができることから、特に手動による発電に好適であるといえる。
【００３９】
上述の実施の形態の回転型電磁発電機１では、発電コイル２１，２２，２３，２４の巻軸方向Ｗが、回転磁石ホルダ４及び永久磁石１１，１２，１３，１４の回転方向Ｒに対して垂直な方向である構成であった。
しかしながら、永久磁石による垂直磁界が発電コイルの芯部を通過すれば、発電効果が得られることから、発電コイルの巻軸方向が、回転磁石ホルダ及び永久磁石の回転方向に対して、完全に垂直である必要はなく、ある程度の角度許容が認められる。
【００４０】
上述の実施の形態の回転型電磁発電機１では、４個の発電コイル２１，２２，２３，２４が回転磁石ホルダ４の周囲に配置されているが、発電コイルの個数は、４個に限定されない。
少なくとも１個以上発電コイルを設ければ、発電が可能である。
【００４１】
例えば、上述の実施の形態の回転型電磁発電機１と同様に、発電コイルの個数を永久磁石の個数と同数として、永久磁石の位置・間隔に対応させて発電コイルを配置すると、効率良く発電を行うことができると考えられる。
【００４２】
また例えば、発電コイルの個数を永久磁石の個数よりも多くして、各発電コイルの接続を工夫することにより、同じ回転数に対して、より高い周波数の出力を得ることができるので、結果として、より大きな電力エネルギーを得ることが可能となる。
【００４３】
また、図３Ａに示した回転磁石ホルダ４は、円形状の１個の非磁性部材で構成されているが、例えば、永久磁石収納部を有する９０度の扇形の非磁性部材を４個貼り合わせて、回転磁石ホルダを構成してもよい。
【００４４】
永久磁石の形状としては、上述の実施の形態のように円弧状でも良いし、直線の棒状又は折れ曲がった「くの字」状でも良い。
ここで、永久磁石１１，１２，１３，１４を直線の棒状とした形態の平面図を図９Ａに示し、永久磁石１１，１２，１３，１４を「くの字」状とした形態の平面図を図９Ｂに示す。これらの図においては、発電コイルの図示は省略している。
これら図９Ａ及び図９Ｂに示す各形態においても、永久磁石１１，１２，１３，１４から垂直磁束を発生させて、回転磁石ホルダ４の周囲に設けた発電コイルを通過させることができる。
【００４５】
前述した発電原理を考慮すると、第１の実施の形態に関連する変形例として、以下に挙げる構成が考えられる。
【００４６】
第１の変形例として、回転型電磁発電機の平面図を図１０Ａに示し、図１０ＡのＹ−Ｙ´における断面図を図１０Ｂに示す。
図１０Ａ及び図１０Ｂに示す回転型電磁発電機は、基本的には、図１に示した第１の実施の形態の構成と同様であるが、発電コイル２１，２２，２３，２４が回転磁石ホルダ４の外周形状に沿って湾曲しているという点で異なる。
この構成は、例えば、発電コイル２１，２２，２３，２４の巻数を増やす等、発電コイルの径が大きくなるような場合に、図１に示した形態と比較して、回転型電磁発電機の床面積を小型化できるという点で優れている。
【００４７】
第２の変形例として、回転型電磁発電機の平面図を図１１Ａに示し、図１１ＡのＹ−Ｙ´における断面図を図１１Ｂに示す。
図１１Ａ及び図１１Ｂに示す回転型電磁発電機もまた、図１に示した標準型の第１の実施の形態の構成と同様であるが、発電コイル２１，２２，２３，２４が回転磁石ホルダ４に対して上方向（回転軸２方向）に配置されているという点で異なる。
この構成では、４個の永久磁石１１，１２，１３，１４から発せられる垂直磁束が、回転軸２を中心として放射状に生じていることのみならず、図１１Ａの紙面に垂直な方向（手前側、裏側）にも発生していることから（図８参照）、このような発電コイル２１，２２，２３，２４の配置を採用することが可能となる。
従って、図１１Ａ及び図１１Ｂの構成をさらに変形して、発電コイル２１，２２，２３，２３を回転磁石ホルダ４の下側に配置してもよいし、上側及び下側の双方に配置してもよい。
この構成とすることにより、図１に示した実施の形態や第１の変形例のように、回転磁石ホルダ４の外周よりもさらに外側へ発電コイル２１，２２，２３，２４を配置した構成と比較して、床面積をより低減することが可能であるため、小型の回転型電磁発電機を得ることができる。
【００４８】
第３の変形例として、回転型電磁発電機の平面図を図１２Ａに示し、図１２ＡのＹ−Ｙ´における断面図を図１２Ｂに示す。
図１２Ａ及び図１２Ｂに示す回転型電磁発電機は、回転磁石ホルダ４の構成は図１に示した実施の形態や第１及び第２の変形例と同様であるが、発電コイル２１，２２，２３，２４が回転磁石ホルダ４に設置された永久磁石１１，１２，１３，１４を３方向、即ち上方向・横方向・下方向から取り囲むように「コの字」状に形成されている。
上述した通り、４個の永久磁石１１，１２，１３，１４から発せられる垂直磁束は、回転軸２を中心として放射状に生じていることのみならず、図１２Ａの紙面に垂直な方向（手前側、裏側）にも発生している（図８参照）。そのため、この第３の変形例の発電コイルの形態を採用することによって、発電コイルの芯部に垂直磁束をより多量に通過させることができるようになり、第１及び第２の変形例の構成と比較して、発電効率の増大が期待できる。
なお、発電コイルの形態は「コの字」状に限定されず、回転型電磁発電機の設置条件や寸法条件によって、上下のうち一方に延ばしたＬ字状にしてもよいし、逆に断面を丸くしたＣ字状としてもよい。
【００４９】
図１に示した実施の形態やその第１の変形例、第３の変形例の各構成のように、発電コイル２１，２２，２３，２４を回転磁石ホルダ４の外周よりもさらに外側へ配置する場合は、回転軸２及び回転継手３等の部材を非磁性材料（例えば、ステンレス、チタン等の非磁性金属・合金材料や有機材料）にすることが望ましい。
これは、回転軸２及び回転継手３を磁性材にすると、回転軸２の方向に強磁場が偏ってしまい、発電コイル２１，２２，２３，２４の芯部を通過する磁束の量が減ってしまうためである。
【００５０】
第４の変形例として、回転型電磁発電機の平面図を図１３Ａに示し、図１３ＡのＹ−Ｙ´における断面図を図１３Ｂに示す。
図１３Ａ及び図１３Ｂに示す回転型電磁発電機は、回転磁石ホルダ４の外周部と回転軸との間の中央部に凹部４Ａを形成して、この凹部４Ａの空間内に４個の発電コイル２５，２６，２７，２８が配置されている。
一般的に、永久磁石が発する磁界においては、磁路長が短くなる方の磁束密度が高くなることから、図６に示した内周磁束は外周磁束よりも磁束密度が高くなる。
そこで、この第４の変形例では、回転軸２側に形成される垂直磁束が発電コイル２５，２６，２７，２８の芯部を通過するように構成することで、より大きな発電効果を得ることを可能にする。
【００５１】
また、さらに、回転軸２及び／又は回転継手３を、磁性金属等の磁性を有する材質とすることで、より多くの磁束を回転磁石ホルダ４の中心部（内周側）に集めることができる。
このように構成することにより、回転型電磁発電機の外側に生じる磁界を低減して外乱磁界を低減することが可能となるため、磁気シールド部材等を用いなくとも、外部機器に対する磁気ノイズの影響を小さくすることが可能であると共に、簡易的な構成で発電コイルの芯部を通過する垂直磁束を増大させることができるため、望ましい形態であるといえる。
【００５２】
なお、図１３Ａ及び図１３Ｂの構成をさらに変形して、永久磁石１１，１２，１３，１４よりも内側に発電コイル２５，２６，２７，２８を設ける他に、図１や図１０に示したような、回転磁石ホルダ４の外周の外側の発電コイル２１，２２，２３，２４をも設けても構わない。
【００５３】
上述した第１の実施の形態においては、複数の永久磁石から発生する磁束の磁路の大分部が非磁性部（大気中、非磁性樹脂からなる回転磁石ホルダ４）を通過しているために、発電コイルの芯部を通過しない磁束、即ち発電に寄与しない磁束が残存していると考えられる。
そこで、発電コイルの芯部により多くの磁束を通過させ、回転型電磁発電機の発電効果を高めるための構成として、発電コイルの芯部に磁性部材（ヨーク等）を配置することが考えられる。
この場合の回転型電磁発電機の実施の形態を、次に示す。
【００５４】
本発明の回転型電磁発電機の第２の実施の形態として、回転型電磁発電機の概略構成図を図１４Ａ及び図１４Ｂに示す。図１４Ａは平面図を示し、図１４Ｂは図１４ＡのＹ−Ｙ´における断面図を示している。
この第２の実施の形態では、図１や図１０に示した第１の実施の形態の４個の発電コイル２１，２２，２３，２４に対して、その芯部に磁束を通過させるための磁性部材（ヨーク等）２０を配置している。
また、図１４Ａ及び図１４Ｂに示す回転型電磁発電機は、発電コイル２１，２２，２３，２４が回転磁石ホルダ４の外周形状に沿って湾曲していると共に、回転磁石ホルダ４の周囲を囲った磁性部材（ヨーク等）２０の部分も、回転磁石ホルダ４の外周形状に沿った円形状としている。
この磁性部材２０は、発電コイル２１，２２，２３，２４の芯部内を貫通して突出した部分と、２つの発電コイルの間を接続するように、回転磁石ホルダ４の周囲を囲った部分とを有している。
その他の構成は、図１や図１０に示した第１の実施の形態と同様であるので、重複説明を省略する。
【００５５】
より好ましくは、回転軸２及び回転継手３を非磁性体にして、磁性部材２０を通過する磁束を増大させる。このように構成することで、発電コイル２１，２２，２３，２４の芯部を通過する磁束が極めて多量になることから、発電特性が一層向上するという効果を有する。
【００５６】
上述の本実施の形態（第２の実施の形態）の回転型電磁発電機の構成によれば、先に示した第１の実施の形態の回転型電磁発電機１と同様に、同じ磁極同士が対向した４個の永久磁石１１，１２，１３，１４から垂直磁界を発生させて、発電コイル２１，２２，２３，２４の芯部を通過させることができ、これら発電コイル２１，２２，２３，２４において、充分な発電量が得られる。
従って、前記特許文献１に提案されていた構成と比較して、大幅に少ない個数の永久磁石１１，１２，１３，１４で充分な発電量を得ることが可能になり、永久磁石の個数を少なくして軽量化を図ることができる。また、同じ回転数において効率を向上させることが可能になる。
【００５７】
本実施の形態では、特に、発電コイル２１，２２，２３，２４の芯部内を貫通させた磁性部材２０を通じて磁気回路が形成され、磁性部材２０が永久磁石１１，１２，１３，１４による磁束を吸い取る作用効果を有している。
これにより、第１の実施の形態の構成と比較して、発電コイル２１，２２，２３，２４の芯部に、より多くの磁束を通過させて、発電効率を高めることが可能になる。
【００５８】
そして、磁性部材２０を、発電コイル２１，２２，２３，２４の芯部内を貫通させるだけでなく、さらに発電コイル２１，２２，２３，２４から突出させることにより、磁性部材２０が磁束を吸い取る作用効果を高めることができる。
【００５９】
また、磁束の多くが磁性部材２０内を通過し永久磁石１１，１２，１３，１４へ帰還するといった磁気回路を形成するため、回転型電磁発電機の外側に漏れる磁束を大幅に低減することができる。その結果、外部の電子機器等に与える外乱磁気ノイズの影響を少なくすることが可能となる。
【００６０】
なお、発電コイル２１，２２，２３，２４の芯部内に磁性部材２０を配置すると、コギングトルクと呼ばれる磁気的な抵抗が生じる。
このことから、この第２の実施の形態の構成は、手動による発電用途よりも、回転運動をしている動力源／駆動源に回転型電磁発電機の回転軸２を結合することによって発電を行う、といった用途に好適である。
【００６１】
ところで、この第２の実施の形態の構成で設けていた、磁性部材２０の発電コイル間を接続して回転磁石ホルダ４の周囲を囲った部分は、必ずしも設けなくても構わない。
少なくとも発電コイルの芯部に、磁性部材２０を配置すれば、上述の第２の実施の形態と同様の効果が得られる。
【００６２】
第５の変形例として、回転型電磁発電機の平面図を図１５Ａに示し、図１５ＡのＹ−Ｙ´における断面図を図１５Ｂに示す。
図１５Ａ及び図１５Ｂに示す回転型電磁発電機もまた、図１４Ａ及び図１４Ｂに示した第２の実施の形態の構成と同様であるが、発電コイル２１，２２，２３，２４が回転磁石ホルダ４に対して上方向（回転軸２方向）に配置されていると共に、磁性部材（ヨーク等）２０も回転磁石ホルダ４に対して上方向に配置されているという点で異なる。
磁性部材２０は、発電コイル２１，２２，２３，２４の芯部を貫通する下方（回転磁石ホルダ４及び永久磁石１１，１２，１３，１４側）突出した部分と、発電コイルの間を接続し、発電コイルの上に板状に延びる部分とを有している。
この構成では、４個の永久磁石１１，１２，１３，１４から発せられる垂直磁束が、図８に示したように、上下方向にも発生していることを利用している。
なお、図１５Ａ及び図１５Ｂの構成をさらに変形して、発電コイル２１，２２，２３，２３及び磁性部材２０を回転磁石ホルダ４の下側に配置してもよいし、上側及び下側の双方に配置してもよい。
この構成とすることにより、図１４Ａ及び図１４Ｂに示した実施の形態のように、回転磁石ホルダ４の外周よりもさらに外側へ発電コイル２１，２２，２３，２４を配置した構成と比較して、床面積をより低減することが可能であるため、小型の回転型電磁発電機を得ることができる。
【００６３】
第６の変形例として、回転型電磁発電機の平面図を図１６Ａに示し、図１６ＡのＹ−Ｙ´における断面図を図１６Ｂに示し、図１６ＢのＰ−Ｐ´における断面図（水平面における断面図）を図１７に示す。
図１６Ａ・図１６Ｂ・図１７に示す回転型電磁発電機は、回転磁石ホルダ４の構成は図１４Ａ及び図１４Ｂに示した実施の形態や第５の変形例と同様であるが、発電コイル２１，２２，２３，２４が回転磁石ホルダ４に設置された永久磁石１１，１２，１３，１４を３方向、即ち上方向・横方向・下方向から取り囲むように「コの字」状に形成されている。
また、磁性部材（ヨーク等）２０は、発電コイルの芯部内を貫通して突出した部分と、発電コイルの間を接続して回転磁石ホルダ４の上側・外側・下側を包むように囲う部分とを有している。
この構成では、４個の永久磁石１１，１２，１３，１４から発せられる垂直磁束が、図８に示したように、上下方向にも発生していることを利用している。この第６の変形例の発電コイルの形態を採用することによって、発電コイルの芯部に垂直磁束をより多量に通過させることができるようになり、第５の変形例の構成と比較して、発電効率の増大が期待できる。
なお、発電コイルの形態は「コの字」状に限定されず、回転型電磁発電機の設置条件や寸法条件によって、上下のうち一方に延ばしたＬ字状にしてもよいし、逆に断面を丸くしたＣ字状としてもよい。
【００６４】
上述した第１の実施の形態及び第２の実施の形態やその変形例の各形態では、発電コイルの巻軸方向Ｗを、回転磁石ホルダ４の回転方向Ｒに対して垂直な方向としていた。
これに対して、発電コイルの巻軸方向を回転磁石ホルダの回転方向に平行な方向とすることも可能である。その場合の回転型電磁発電機の実施の形態を次に示す。
【００６５】
本発明の回転型電磁発電機の第３の実施の形態として、回転型電磁発電機の概略構成図を図１８〜図２０に示す。図１８は分解斜視図を示し、図１９は斜視図を示し、図２０は、上方から見た平面図を示している。
この第３の実施の形態では、４個の発電コイル３１，３２，３３，３４の巻軸方向が、回転磁石ホルダ４の回転方向Ｒと平行な方向となるように形成されており、かつこれら４個の発電コイル３１，３２，３３，３４の芯部内には磁性部材（ヨーク等）３０が配置されている。
発電コイル３１，３２，３３，３４は、巻軸方向が回転磁石ホルダ４の回転方向Ｒと平行な方向であり、全体として円弧形状を有する筒状に形成されている。
磁性部材３０は、発電コイル３１，３２，３３，３４の芯部内を貫通する部分と、発電コイル３１，３２，３３，３４の外にあって回転軸２側（内側）に突出した部分とを有している。
そして、４個の発電コイル３１，３２，３３，３４の各磁性部材３０をつなぎ合わせてリング状に一体化して、回転磁石ホルダ４の外周の周囲に配置している。
その他の構成は、図１に示した第１の実施の形態と同様であるので、重複説明を省略する。
【００６６】
この第３の実施の形態では、発電コイル３１，３２，３３，３４の巻軸方向が回転磁石ホルダ４の回転方向Ｒと平行な方向であるため、永久磁石１１，１２，１３，１４からの垂直磁束は、直接に発電コイル３１，３２，３３，３４を通過するわけではない。
そこで、この第３の実施の形態では、さらに、発電コイル３１，３２，３３，３４の芯部に磁性部材３０を設けている。
これにより、この磁性部材３０を通じて、永久磁石１１，１２，１３，１４からの磁束を発電コイル３１，３２，３３，３４に通すことができる。
【００６７】
上述の本実施の形態によれば、先に示した第１の実施の形態の回転型電磁発電機１と同様に、同じ磁極同士が対向した４個の永久磁石１１，１２，１３，１４から垂直磁界を発生させることができる。
そして、発電コイル３１，３２，３３，３４の芯部内を貫通させた磁性部材３０を通じて磁気回路が形成され、磁性部材３０が永久磁石１１，１２，１３，１４による磁束を吸い取る作用効果を有している。
これにより、発電コイル３１，３２，３３，３４に、多くの磁束を通過させて、発電効率を高めることが可能になる。
【００６８】
また、磁束が磁性部材３０内を通過し永久磁石１１，１２，１３，１４へ帰還するといった磁気回路を形成するため、回転型電磁発電機の外側に漏れる磁束を大幅に低減することができる。その結果、外部の電子機器等に与える外乱磁気ノイズの影響を少なくすることが可能となる。
【００６９】
次に、上述の第３の実施の形態に関連する変形例として、回転型電磁発電機の平面図を図２１Ａに示し、図２１ＡのＹ−Ｙ´における断面図を図２１Ｂに示す。
なお、図２１Ａでは、発電コイル３１，３２，３３，３４及び磁性部材（ヨーク等）３０に隠れて見えないが、その下方の回転磁石ホルダ４には、図１８〜図２０に示した第３の実施の形態と同様に、永久磁石１１，１２，１３，１４が配置されている。
図２１Ａ及び図２１Ｂに示す回転型電磁発電機は、図１８〜図２０に示した第３の実施の形態の構成と同様であるが、発電コイル３１，３２，３３，３４が回転磁石ホルダ４に対して上方向（回転軸２方向）に配置されていると共に、磁性部材（ヨーク等）３０も回転磁石ホルダ４に対して上方向に配置されているという点で異なる。
磁性部材３０は、発電コイル３１，３２，３３，３４の芯部を貫通する部分と、発電コイルの間を接続すると共に下方（回転磁石ホルダ４及び永久磁石１１，１２，１３，１４側）に突出した部分とを有している。
なお、図２１Ａ及び図２１Ｂの構成をさらに変形して、発電コイル３１，３２，３３，３３及び磁性部材３０を回転磁石ホルダ４の下側に配置してもよいし、上側及び下側の双方に配置してもよい。
この構成とすることにより、図１８〜図２０に示した実施の形態のように、回転磁石ホルダ４の外周よりもさらに外側へ発電コイル３１，３２，３３，３４及び磁性部材３０を配置した構成と比較して、床面積をより低減することが可能であるため、小型の回転型電磁発電機を得ることができる。
【００７０】
ところで、本発明の回転型電磁発電機を用いて、発電システムを構成することが可能である。
ここで、本発明の回転型電磁発電機を用いた発電システムの一例として、図１に示した回転型電磁発電機１を用いて構成した発電システムの構成例の回路図を、図２２に示す。
このとき、図１の４個の発電コイル２１，２２，２３，２４は、正巻き・逆巻き・正巻き・逆巻きの順に巻回され、それぞれが直列接続された２端子構成とされている。
図２２に示す発電システムの回路図において、回転型電磁発電機１の２つの端子は、整流回路４１に接続されている。この整流回路４１の出力は、蓄電手段としての充電コンデンサ４２に接続されている。
回転駆動された回転型電磁発電機１から発生した電荷は、整流回路４１によって整流され、充電コンデンサ４２に蓄えられる。そして、充電コンデンサ４２に蓄えられた電力が、スイッチ４３を介して負荷４４に供給されるように構成されている。
【００７１】
上述の各形態では、回転磁石ホルダ４が円板状であったが、回転磁石ホルダを多角形状（例えば、六角形や八角形）としても構わない。
【００７２】
上述の各形態では、永久磁石を４個設けていたが、本発明において、永久磁石の個数は４個に限定されるものではない。
本発明においては、隣り合う永久磁石の同じ磁極同士を対向させるので、永久磁石の個数は偶数である必要がある。従って、永久磁石を２個以上の偶数個設ければよい。
【００７３】
また、前述したように、発電コイルは４個に限らず、１個以上の任意の個数とすることができる。
【００７４】
永久磁石の個数や発電コイルの個数は、発電機の大きさ等の条件を考慮して、適切な個数を選定することが望ましい。
例えば、大きい発電機を構成する場合には、永久磁石及び発電コイルを多く設けた方が、発電量を大きくすることができる。
例えば、小さい発電機を構成する場合には、永久磁石や発電コイルの大きさが小さくなり過ぎないように、永久磁石や発電コイルの個数を少なく設定した方が良い。永久磁石や発電コイルが小さ過ぎると、磁石の保磁力や発電コイルの発電量が充分に得られなくなることがある。
【００７５】
複数の発電コイルの接続は、出力電圧の位相が一致しているコイル同士を（１）直列、（２）並列、（３）一部を直列にしたものを並列、のいずれも可能である。
回転電磁発電機の用途に応じて、発電コイルの接続方法を選定する。
直列に接続した場合には、ｎ個の発電コイルにより得られる電圧がｎ倍になる。
並列に接続した場合には、ｎ個の発電コイルで全体の抵抗が１／ｎとなるので、電流（パワー）が大きく取れる。
【００７６】
発電コイルの個数が偶数である場合、正巻き、逆巻き、正巻き、逆巻きと、交互にコイルの巻き方を反対にすることが好ましい。例えば、図１に示した第１の実施の形態の回転型電磁発電機１等において、４個の発電コイル１１，１２，１３，１４のうち、発電コイル１１及び発電コイル１３を正巻きとして、発電コイル１２及び発電コイル１４を逆巻きとする。このように構成することにより、全てのコイルの出力電圧の位相を等しくすることができる。
【００７７】
そして、例えば、発電コイルが８個のときは、８個とも直列にする接続、正巻きと逆巻きの各４個ずつを直列にする接続、同じ向きの２個ずつを直列に接続した１組を４組並列にする接続、８個とも並列にする接続、等が考えられる。
【００７８】
本発明は、上述の実施の形態に限定されるものではなく、本発明の要旨を逸脱しない範囲でその他様々な構成が取り得る。
【図面の簡単な説明】
【００７９】
【図１】本発明の第１の実施の形態の回転型電磁発電機の概略構成図（斜視図）である。
【図２】図１の回転型電磁発電機の分解斜視図である。
【図３】Ａ〜Ｃ  図１の回転磁石ホルダの概略構成図である。
【図４】回転磁石ホルダの他の形態を示す断面図である。
【図５】Ａ  図１の回転型電磁発電機の平面図である。  Ｂ  図５ＡのＹ−Ｙ´における断面図である。
【図６】Ａ、Ｂ  永久磁石が励起する磁界を説明する図である。
【図７】図１の回転型電磁発電機の永久磁石が励起する磁界を説明する平面図である。
【図８】図１の回転型電磁発電機の永久磁石が励起する磁界を説明する断面図である。
【図９】Ａ  永久磁石を直線の棒状とした形態の平面図である。  Ｂ  永久磁石をくの字状とした形態の平面図である。
【図１０】Ａ、Ｂ  第１の変形例の回転型電磁発電機の概略構成図である。
【図１１】Ａ、Ｂ  第２の変形例の回転型電磁発電機の概略構成図である。
【図１２】Ａ、Ｂ  第３の変形例の回転型電磁発電機の概略構成図である。
【図１３】Ａ、Ｂ  第４の変形例の回転型電磁発電機の概略構成図である。
【図１４】Ａ、Ｂ  本発明の第２の実施の形態の回転型電磁発電機の概略構成図である。
【図１５】Ａ、Ｂ  第５の変形例の回転型電磁発電機の概略構成図である。
【図１６】Ａ、Ｂ  第６の変形例の回転型電磁発電機の概略構成図である。
【図１７】第６の変形例の回転型電磁発電機の概略構成図である。
【図１８】本発明の第３の実施の形態の回転型電磁発電機の概略構成図（分解斜視図）である。
【図１９】本発明の第３の実施の形態の回転型電磁発電機の概略構成図（斜視図）である。
【図２０】本発明の第３の実施の形態の回転型電磁発電機の概略構成図（上から見た平面図）である。
【図２１】Ａ、Ｂ  本発明の第３の実施の形態に対する変形例の回転型電磁発電機の概略構成図である。
【図２２】図１に示した回転型電磁発電機を用いて構成した発電システムの構成例の回路図である。
【図２３】従来提案されている電磁発電機の模式的断面図である。
【符号の説明】
【００８０】
１  回転型電磁発電機、２  回転軸、３  回転継手、４  回転磁石ホルダ、５  、６  、７  、８  、１０  、１１，１２，１３，１４  永久磁石、２０，３０  磁性部材（ヨーク等）、２１，２２，２３，２４，２５，２６，２７，２８，３１，３２，３３，３４  発電コイル、４１  整流回路、４２  充電コンデンサ、４３  スイッチ、４４  負荷
【図１】
0005098082.tif 000002
【図２】
0005098082.tif 000003
【図３】
0005098082.tif 000004
【図４】
0005098082.tif 000005
【図５】
0005098082.tif 000006
【図６】
0005098082.tif 000007
【図７】
0005098082.tif 000008
【図８】
0005098082.tif 000009
【図９】
0005098082.tif 000010
【図１０】
0005098082.tif 000011
【図１１】
0005098082.tif 000012
【図１２】
0005098082.tif 000013
【図１３】
0005098082.tif 000014
【図１４】
0005098082.tif 000015
【図１５】
0005098082.tif 000016
【図１６】
0005098082.tif 000017
【図１７】
0005098082.tif 000018
【図１８】
0005098082.tif 000019
【図１９】
0005098082.tif 000020
【図２０】
0005098082.tif 000021
【図２１】
0005098082.tif 000022
【図２２】
0005098082.tif 000023
【図２３】
0005098082.tif 000024